(57)【要約】【課題】造営材と平行な方向に小型化しつつ、非常用電源を交換する際の作業性を向上させた照明器具を提供する。【解決手段】非常用電源４は、下面を露出させた状態で造営材に埋め込まれる器具本体８の内部で且つ下面側において光源ユニットと並べて配置される。器具本体８は、非常用電源４を収納するための収納空間１３を内部に有する。また、器具本体８は、光源ユニットからの光を外部に出射させる第１孔と、収納空間１３に通じており器具本体８に対して非常用電源４を着脱する際に非常用電源４が通される孔２１２とを下面に有する。非常用電源４は、非常用電源４を収納空間１３に収納した状態で器具本体８に設けられた突台部２１２ｃに引っ掛かる突起部４３４を有する。また、非常用電源４は、非常用電源４を取り外す際に突台部２１２ｃから外れる方向に突起部４３４を移動させ、且つ非常用電源４を器具本体８外に引き出すための摘み部４３を有する。【選択図】図１
2015125804.tif 000002
【特許請求の範囲】
【請求項１】
一面を露出させた状態で造営材に埋め込まれる器具本体と、
前記器具本体の内部において前記一面側に配置される光源ユニットと、
前記器具本体の内部で且つ前記一面側において前記光源ユニットと並べて配置され、外部電源の停電時に電力を供給する非常用電源と、
前記外部電源が正常に供給されている状態では前記外部電源により前記非常用電源を充電し、前記外部電源が停電になると前記非常用電源により前記光源ユニットを点灯させる電源装置とを備え、
前記器具本体は、前記非常用電源を収納するための収納空間を内部に有し、且つ前記光源ユニットからの光を外部に出射させる第１孔と、前記収納空間に通じており前記器具本体に対して前記非常用電源を着脱する際に前記非常用電源が通される第２孔とを前記一面に有し、
前記非常用電源は、前記非常用電源を前記収納空間に収納した状態で前記器具本体に設けられた被引掛部に引っ掛かる第１引掛部と、前記非常用電源を取り外す際に前記被引掛部から外れる方向に前記第１引掛部を移動させ、且つ前記非常用電源を前記器具本体外に引き出すための摘み部とを有していることを特徴とする照明器具。
【請求項２】
前記摘み部は、人の指で摘ままれる部位に滑り止め部を有していることを特徴とする請求項１記載の照明器具。
【請求項３】
前記摘み部は、前記非常用電源を前記収納空間に収納した状態で前記器具本体の前記一面と面一に配置されるか、或いは前記一面よりも内側に配置されることを特徴とする請求項１又は２記載の照明器具。
【請求項４】
前記非常用電源は、前記非常用電源の着脱方向において前記第１引掛部よりも前記器具本体側に設けられ、前記非常用電源を取り外す際に前記被引掛部に引っ掛かる第２引掛部を有していることを特徴とする請求項１〜３の何れか１項に記載の照明器具。
【請求項５】
前記非常用電源は、側面部が前記非常用電源の着脱方向と平行になり、且つ底面部が前記器具本体の前記一面側となるように配置される筒状の本体部を有し、
前記摘み部は、前記側面部に沿って前記底面部側に延長され前記第１引掛部を前記被引掛部から外す際に前記側面部に近づくように変形する撓み片と、前記撓み片の先端から前記底面部と平行な方向に延長され且つ前記底面部と対向する対向片と、前記対向片の先端から前記撓み片と平行な方向で且つ前記底面部から離れる方向に延長された摘み片とを有し、
前記第１引掛部は、前記撓み片と前記対向片との連接部分に設けられた第１突起部からなり、
前記対向片又は前記底面部の一方に、前記対向片又は前記底面部の他方側に突出する第２突起部が設けられていることを特徴とする請求項１〜４の何れか１項に記載の照明器具。
【請求項６】
前記非常用電源は、前記非常用電源を前記収納空間に収納した状態から、前記非常用電源の着脱方向を回転軸として前記非常用電源を回転させることで、前記第１引掛部が前記被引掛部に引っ掛かる位置、又は前記第１引掛部が前記被引掛部から外れる位置に配置されることを特徴とする請求項１〜３の何れか１項に記載の照明器具。
【請求項７】
前記非常用電源は、前記非常用電源の着脱方向における投影面積の少なくとも一部が前記第１引掛部に類似するか、或いは同形状である第３引掛部を有し、
前記第３引掛部は、前記非常用電源の着脱方向から見た際に前記第１引掛部と重ならない位置に設けられていることを特徴とする請求項１〜３の何れか１項に記載の照明器具。
【発明の詳細な説明】
【技術分野】
【０００１】
本発明は、照明器具に関するものである。
【背景技術】
【０００２】
従来より、外部電源の停電時にバッテリを電源として光源を点灯させる非常用の照明器具が多数提供されているが、施工状態のままでバッテリ交換が可能なものも提供されている（例えば特許文献１参照）。
【０００３】
特許文献１に記載された照明器具は、円筒状に形成された器具本体を備え、器具本体の下面にはバッテリを通すための開口部が設けられている。この開口部は、ヒンジピン等を介して器具本体に取り付けられた開閉蓋によって開閉自在に閉塞される。また、器具本体の内部には、開口部に連続するようにしてバッテリ収納部が設けられている。
【０００４】
この照明器具においてバッテリを交換する際には、開閉蓋を開けた状態で開口部を通してバッテリをバッテリ収納部側に挿入し、さらにバッテリを水平方向にスライドさせることでバッテリがバッテリ収納部に収納される。
【先行技術文献】
【特許文献】
【０００５】
【特許文献１】特開２００６−１４００６６号公報
【発明の概要】
【発明が解決しようとする課題】
【０００６】
上述の特許文献１に示した照明器具は、施工状態のままでバッテリ交換が可能なものであるが、開口部を通してバッテリ収納部側に挿入したバッテリを水平方向にスライドさせる必要があり、その分作業性がよくなかった。また、バッテリを水平方向にスライドさせる構造であるため、水平方向に器具本体が大型化するものであった。
【０００７】
本発明は上記問題点に鑑みて為されたものであり、その目的とするところは、造営材と平行な方向に小型化しつつ、非常用電源を交換する際の作業性を向上させた照明器具を提供することにある。
【課題を解決するための手段】
【０００８】
本発明の照明器具は、一面を露出させた状態で造営材に埋め込まれる器具本体と、前記器具本体の内部において前記一面側に配置される光源ユニットと、前記器具本体の内部で且つ前記一面側において前記光源ユニットと並べて配置され、外部電源の停電時に電力を供給する非常用電源と、前記外部電源が正常に供給されている状態では前記外部電源により前記非常用電源を充電し、前記外部電源が停電になると前記非常用電源により前記光源ユニットを点灯させる電源装置とを備え、前記器具本体は、前記非常用電源を収納するための収納空間を内部に有し、且つ前記光源ユニットからの光を外部に出射させる第１孔と、前記収納空間に通じており前記器具本体に対して前記非常用電源を着脱する際に前記非常用電源が通される第２孔とを前記一面に有し、前記非常用電源は、前記非常用電源を前記収納空間に収納した状態で前記器具本体に設けられた被引掛部に引っ掛かる第１引掛部と、前記非常用電源を取り外す際に前記被引掛部から外れる方向に前記第１引掛部を移動させ、且つ前記非常用電源を前記器具本体外に引き出すための摘み部とを有していることを特徴とする。
【０００９】
この照明器具において、前記摘み部は、人の指で摘ままれる部位に滑り止め部を有しているのが好ましい。
【００１０】
また、この照明器具において、前記摘み部は、前記非常用電源を前記収納空間に収納した状態で前記器具本体の前記一面と面一に配置されるか、或いは前記一面よりも内側に配置されるのも好ましい。
【００１１】
また、この照明器具において、前記非常用電源は、前記非常用電源の着脱方向において前記第１引掛部よりも前記器具本体側に設けられ、前記非常用電源を取り外す際に前記被引掛部に引っ掛かる第２引掛部を有しているのも好ましい。
【００１２】
また、この照明器具において、前記非常用電源は、側面部が前記非常用電源の着脱方向と平行になり、且つ底面部が前記器具本体の前記一面側となるように配置される筒状の本体部を有し、前記摘み部は、前記側面部に沿って前記底面部側に延長され前記第１引掛部を前記被引掛部から外す際に前記側面部に近づくように変形する撓み片と、前記撓み片の先端から前記底面部と平行な方向に延長され且つ前記底面部と対向する対向片と、前記対向片の先端から前記撓み片と平行な方向で且つ前記底面部から離れる方向に延長された摘み片とを有し、前記第１引掛部は、前記撓み片と前記対向片との連接部分に設けられた第１突起部からなり、前記対向片又は前記底面部の一方に、前記対向片又は前記底面部の他方側に突出する第２突起部が設けられているのも好ましい。
【００１３】
また、この照明器具において、前記非常用電源は、前記非常用電源を前記収納空間に収納した状態から、前記非常用電源の着脱方向を回転軸として前記非常用電源を回転させることで、前記第１引掛部が前記被引掛部に引っ掛かる位置、又は前記第１引掛部が前記被引掛部から外れる位置に配置されるのも好ましい。
【００１４】
また、この照明器具において、前記非常用電源は、前記非常用電源の着脱方向における投影面積の少なくとも一部が前記第１引掛部に類似するか、或いは同形状である第３引掛部を有し、前記第３引掛部は、前記非常用電源の着脱方向から見た際に前記第１引掛部と重ならない位置に設けられているのも好ましい。
【発明の効果】
【００１５】
本発明の構成によれば、第２孔を通して器具本体の収納空間に収納するだけで非常用電源を器具本体に取り付けることができ、さらに摘み部を摘まんで引き出すだけで非常用電源を器具本体から取り外すことができる。その結果、非常用電源を交換する際の作業性を向上させることができるという効果がある。また、造営材と交差する方向に非常用電源を差し込む構造であることから、造営材と平行な方向に小型化することができるという効果もある。
【図面の簡単な説明】
【００１６】
【図１】実施形態１の照明器具の断面図である。
【図２】同上の分解斜視図である。
【図３】同上を天井に取り付けた状態の斜視図である。
【図４】（ａ）、（ｂ）は同上に用いられる非常用電源の要部拡大図である。
【図５】同上において非常用電源を取り付ける手順を説明する説明図である。
【図６】同上に用いられる別の非常用電源を示し、（ａ）は側面図、（ｂ）は斜視図である。
【図７】（ａ）〜（ｅ）は同上に用いられるさらに別の非常用電源を模式的に表したバリエーション図である。
【図８】同上に用いられるまたさらに別の非常用電源の要部拡大図である。
【図９】（ａ）、（ｂ）は同上に用いられるまたさらに別の非常用電源の動作説明図である。
【図１０】実施形態２の照明器具に用いられる非常用電源の斜視図である。
【図１１】（ａ）、（ｂ）は同上に用いられる非常用電源の取付構造を説明するために用いた取付部材の斜視図である。
【図１２】（ａ）〜（ｃ）は同上に用いられる非常用電源の取付手順を説明する説明図である。
【図１３】実施形態３の照明器具に用いられる非常用電源を示し、（ａ）は側面図、（ｂ）は下面図である。
【図１４】（ａ）、（ｂ）は同上に用いられる非常用電源の斜視図である。
【図１５】（ａ）、（ｂ）は同上に用いられるベースの斜視図である。
【図１６】（ａ）、（ｂ）は同上に用いられる非常用電源の取付手順を説明する説明図である。
【図１７】（ａ）、（ｂ）は同上に用いられる非常用電源の取付手順を説明する別の説明図である。
【図１８】（ａ）〜（ｃ）は同上に用いられる非常用電源の取付手順を説明するさらに別の説明図である。
【発明を実施するための形態】
【００１７】
以下に、照明器具の実施形態について図面を参照しながら説明する。なお、以下では特に断りがない限り、ケース１の長手方向を上下方向（開口部１１側が下側）と規定して説明を行う。
【００１８】
（実施形態１）
本実施形態の照明器具１０は、図３に示すように、天井材１００（造営材）に設けた埋込孔１００ａを通して天井に埋め込まれる天井埋込型の非常灯であって、商用電源（外部電源）が停電になると光源を点灯させるものである。
【００１９】
本実施形態の照明器具１０は、図２に示すように、ケース１と、ベース２と、光源ユニット３と、非常用電源４と、電源装置５と、一対の取付ばね６，６と、端子台７とを備える。なお、図２では、非常用電源４の摘み部４３を省略しているが、実際には図１に示すような摘み部４３が一体に設けられている。
【００２０】
ケース１は、例えば鋼板などの不燃材料からなり、上下方向に長い円筒状に形成され、ケース１の下端には開口部１１が設けられている。ケース１において開口部１１側（下端側）の外側面には、ベース２の各引掛部２３の引掛爪２３１（図５参照）が引っ掛けられる矩形の孔１２が、各引掛爪２３１と対応する位置に設けられている（図３では片方の孔１２のみ図示）。また、ケース１の内部には、非常用電源４を収納するための収納空間１３（図１参照）が設けられている。
【００２１】
ベース２は、ケース１と同様に、例えば鋼板などの不燃材料からなり、図１及び図５に示すように、扁平且つ円筒状に形成された本体部２１を有し、本体部２１の下端には外向きに突出する鍔部２２が全周に亘って設けられている。
【００２２】
本体部２１の底面には、図２に示すように、光源ユニット３を収納するための凹部２１１（第１孔）が設けられ、凹部２１１の底面には、光源ユニット３の基板３２に接続されたコネクタ（図示せず）を通すための孔２１１ａ（図５参照）が設けられている。また、本体部２１の底面には、電源装置５の基板５１に実装されたモニタランプ５５を露出させるための長孔２１３と、点検スイッチ５３，４４を露出させるための孔２１４，２１４とが設けられている。
【００２３】
さらに、本体部２１の底面には、上下方向（厚み方向）に貫通する孔２１２（第２孔）が設けられており、本実施形態では、矩形状に開口する孔２１２ａと、半円状に開口する孔２１２ｂとで孔２１２が構成されている。
【００２４】
また、本体部２１の側面には、上側から見てＴ字状に開口する一対のばね保持部２１５，２１５が、本体部２１の中心軸に対して対称な位置に設けられている。さらに、本体部２１の上面には、先端に引掛爪２３１，２３１を有する一対の引掛部２３，２３が、本体部２１の中心軸に対して対称な位置に設けられている。
【００２５】
ここに、ベース２の孔２１２ａは、図５に示すように上下方向（厚み方向）に貫通しており、長手方向（図１中の左右方向）における両内側面には、内向きに突出する突台部２１２ｃ，２１２ｃがそれぞれ設けられている。
【００２６】
そして、ケース１の開口部１１を閉塞するようにしてベース２をケース１に近づけていき、ベース２の引掛爪２３１，２３１をケース１の孔１２，１２にそれぞれ引っ掛けることで、ベース２がケース１に取り付けられる。なお、ベース２をケース１に取り付けた状態では、収納空間１３と孔２１２とが通じており、孔２１２に通された非常用電源４が収納空間１３へ導かれるようになっている。
【００２７】
ここに、本実施形態では、ケース１とベース２により器具本体８が構成されている。また、本実施形態では、ベース２の底面により器具本体８の一面が構成されている。
【００２８】
非常用電源４は、図１及び図５に示すように、上下方向に長い円筒状に形成された本体部４１を有し、本体部４１の内部には複数の蓄電池（図示せず）が上下方向に並べて収納されている。また、本体部４１の上端には、電源装置５との間を電気的に接続する接続部４２が設けられており、接続部４２の上面に設けられた一対の孔４２１，４２１（図５参照）を臨むようにして一対の刃受けばね（図示せず）が内部に収納されている。
【００２９】
そして、電源装置５に電気的に接続された差込プラグ（図示せず）の各栓刃を、孔４２１，４２１を通して対応する刃受けばねに接続することで、非常用電源４と電源装置５とが電気的に接続される。
【００３０】
また、本体部４１の下端側には、本体部４１の中心軸に対して対称な位置に一対の摘み部４３，４３が設けられている。各摘み部４３は、撓み片４３１と、対向片４３２と、摘み片４３３とを有している。
【００３１】
撓み片４３１は、一端（図１中の上端）が本体部４１の側面部４１１に取り付けられており、側面部４１１に沿って下向き（底面部４１２へ向かう向き）に延長されている。また、対向片４３２は、本体部４１の底面部４１２と対向するように、撓み片４３１の先端（図１中の下端）から底面部４１２と平行な方向に延長されている。さらに、摘み片４３３は、対向片４３２の先端（図１中の右端又は左端）から撓み片４３１と平行な方向で、且つ底面部４１２から離れる方向に延長されている。
【００３２】
また、撓み片４３１と対向片４３２の連接部分には、外向きに突出する三角形状の突起部４３４（第１突起部）が設けられている。さらに、摘み片４３３の先端側（図１中の下端側）には、外向きに突出する２個１組の突起４３３ａ，４３３ａが設けられている。これらの突起４３３ａ，４３３ａは、器具本体８に対して非常用電源４を着脱する際に人の指で摘ままれる部位に設けられており、これらの突起４３３ａ，４３３ａにより滑り止め部が構成されている（図４（ａ）及び図４（ｂ）参照）。
【００３３】
この非常用電源４は、商用電源が正常に供給されている間は電源装置５により蓄電池が充電され、商用電源が停電になると蓄電池に蓄積させた直流電力を光源ユニット３へ供給する。
【００３４】
光源ユニット３は、図２に示すように、レンズ３１と、基板３２と、放熱部材３３と、保持金具３４とを有している。基板３２の下面には発光ダイオード３２１が実装されており、基板３２の下方にはレンズ３１が配置されている。放熱部材３３は、発光ダイオード３２１で発生する熱を放熱するためのものであり、基板３２の上面に密着して取り付けられている。これらのレンズ３１、基板３２及び放熱部材３３は、保持金具３４により一体に組み付けられる。
【００３５】
一体に組み付けられた光源ユニット３は、レンズ３１側が開口側、保持金具３４が底面側となる向きでベース２の凹部２１１内に収納される。このとき、基板３２に接続された上記コネクタが、凹部２１１の底面に形成された孔２１１ａを通して上方に露出する。
【００３６】
この光源ユニット３は、商用電源の停電時に非常用電源４から供給される直流電力によって点灯し、商用電源が正常に供給されている状態では点灯しない。つまり、この光源ユニット３は、商用電源の停電時にのみ点灯する非常用の光源である。なお、上述の光源ユニット３及び非常用電源４は、器具本体８の内部で且つ下面（一面）側において並べて配置される。
【００３７】
電源装置５は、図２に示すように、上下方向に長い矩形板状に形成された基板５１を有し、基板５１の一面（図２中の右面）には複数の電子部品５２が実装されている。これらの電子部品５２は、商用電源からの交流電力を所定の電圧値の直流電力に変換して非常用電源４の蓄電池に充電する充電回路と、非常用電源４の蓄電池に蓄積させた直流電力を光源ユニット３に供給して光源ユニット３を点灯させる給電回路とを構成する。
【００３８】
また、基板５１には、２種類の点検スイッチ５３，５４と、モニタランプ５５とが実装されている。点検スイッチ５３は、発光ダイオード３２１が点灯するか否かを点検するためのスイッチであり、点検スイッチ５４は、非常用電源４の蓄電池の充電状態を点検するためのスイッチである。
【００３９】
また、モニタランプ５５は、非常用電源４の蓄電池の充電状態を表示するものであり、例えばモニタランプ５５が緑色に点灯している場合には、上記蓄電池が充電されていることを示している。なお、上記蓄電池が充電されていない状態では、モニタランプ５５は点灯しない。
【００４０】
この電源装置５は、光源ユニット３に電気的に接続された上記コネクタが接続されるコネクタ（図示せず）を有しており、両コネクタを介して光源ユニット３と電源装置５とが電気的に接続される。
【００４１】
取付ばね６，６は、例えば板金に曲げ加工を施すことにより長尺且つ矩形板状に形成され、ベース２のばね保持部２１５，２１５にそれぞれ取り付けられる。そして、取付ばね６，６とベース２の鍔部２２との間で天井材１００を挟み込むことで、照明器具１０が天井に取り付けられる（図３参照）。
【００４２】
端子台７は、従来周知の速結端子構造を有し、天井裏に先行配線された電源線（図示せず）が接続されるとともに、電源装置５の入力端子に接続された電線（図示せず）が接続される。
【００４３】
次に、非常用電源４を器具本体８の収納空間１３に収納する手順について説明する。
【００４４】
利用者は、接続部４２が器具本体８側（上側）となるように向きを調整し、ベース２の孔２１２を通して非常用電源４を収納空間１３へ移動させる。そして、利用者は、非常用電源４を収納空間１３の所定位置（図１に示す位置）まで移動させ、これにより両摘み部４３，４３の突起部４３４，４３４がベース２の対応する突台部２１２ｃ，２１２ｃの上にそれぞれ乗り、非常用電源４が器具本体８に保持される。
【００４５】
このとき、図１に示すように、摘み部４３の下端部が器具本体８の下面、つまりベース２の底面と面一になるように摘み部４３を配置するのが好ましい。これにより、器具本体８の下面から摘み部４３の一部を露出させた場合に比べて、意匠性を向上させることができる。また、さらに意匠性を向上させるために、ベース２の下面を覆うようにカバー（図示せず）を取り付ける場合でも、摘み部４３が取り付けの邪魔にならないという利点もある。
【００４６】
続けて、非常用電源４を器具本体８から取り外す手順について説明する。
【００４７】
非常用電源４を器具本体８の収納空間１３に収納した状態（図１に示す状態）から、利用者が両摘み片４３３，４３３を摘まむと、両摘み片４３３，４３３が互いに近づく向きに変位し、それに伴って両対向片４３２，４３２も互いに近づく向きに変位する。また、両対向片４３２，４３２が互いに近づく向きに変位すると、両撓み片４３１，４３１も互いに近づく向きに撓み、これにより両突起部４３４，４３４が対応する突台部２１２ｃ，２１２ｃから外れる位置までそれぞれ変位する。
【００４８】
そして、利用者が、両摘み片４３３，４３３を摘まんだまま下向きに引っ張ると、孔２１２を通して非常用電源４が器具本体８外に引き出される。なお、各摘み片４３３，４３３には、滑り止め部を構成する一対の突起４３３ａ，４３３ａが設けられているため、利用者の握力に影響されにくい状態で非常用電源４を着脱することができる。ここに、本実施形態では、ベース２の突台部２１２ｃにより被引掛部が構成され、非常用電源４の突起部４３４により第１引掛部が構成されている。
【００４９】
上述のように、孔２１２を通して器具本体８の収納空間１３に収納するだけで非常用電源４を器具本体８に取り付けることができ、さらに摘み部４３を摘まんで下向きに引き出すだけで非常用電源４を器具本体８から取り外すことができる。その結果、非常用電源４を交換する際の作業性を向上させることができる。また、天井材１００と交差する方向に非常用電源４を差し込む構造であることから、天井材１００と平行な方向に小型化した照明器具１０を提供することができる。
【００５０】
次に、本実施形態の照明器具１０に用いられる別の非常用電源４について、図６を参照しながら説明する。この非常用電源４は、図６（ａ）及び図６（ｂ）に示すように、非常用電源４の本体部４１の長手方向（非常用電源４の着脱方向）において摘み部４３よりも上側（器具本体８側）に第２摘み部４４が設けられている。この第２摘み部４４は、本体部４１の側面部４１１に沿って下向きに延長された撓み片４４１と、撓み片４４１の上下方向における中間部から外向きに突出する三角形状の突起部４４２とを有している。
【００５１】
この非常用電源４を器具本体８の収納空間１３に収納した状態では、図１に示す照明器具１０と同様に、摘み部４３，４３の突起部４３４，４３４がベース２の対応する突台部２１２ｃ，２１２ｃの上にそれぞれ乗った状態にある。そのため、第２摘み部４４，４４の突起部４４２，４４２には負荷がかかっていない。
【００５２】
図１に示す状態から、利用者が摘み部４３，４３の摘み片４３３，４３３を摘まんで非常用電源４を下向きに引っ張ると、途中位置において第２摘み部４４，４４の突起部４４２，４４２がベース２の対応する突台部２１２ｃ，２１２ｃの上にそれぞれ乗る。その結果、非常用電源４が器具本体８に保持される。
【００５３】
そして、この状態から、利用者が第２摘み部４４，４４の撓み片４４１，４４１を摘まんで互いに近づく方向に撓めると、両突起部４４２，４４２が対応する突台部２１２ｃ，２１２ｃから外れる方向にそれぞれ変位する。この状態のまま、利用者が非常用電源４を下向きに引くことで、非常用電源４を器具本体８外に取り外すことができる。ここに、本実施形態では、突起部４４２により第２引掛部が構成されている。
【００５４】
ここで、図７（ａ）〜図７（ｅ）に示すように、摘み部４３の突起部４３４及び第２摘み部４４の突起部４４２の双方が、ベース２の突台部２１２ｃの上に乗る位置に設けられていればよく、図６に示す形状に限定されるものではない。また、図７（ｅ）に示すように、摘み部４３の撓み片４３１を下向きに延長し、且つ第２摘み部４４の撓み片４４１を上向きに延長した場合には、撓み片４４１の変形量を大きくすることができ、これにより突起部４４２の変位量を大きくすることができる。
【００５５】
上記構成によれば、例えば負荷の重みや経年劣化によって摘み部４３，４３の突起部４３４，４３４が突台部２１２ｃ，２１２ｃから外れた場合でも、第２摘み部４４，４４の突起部４４２，４４２が突台部２１２ｃ，２１２ｃに引っ掛かることになる。その結果、非常用電源４が落下するのを防ぐことができるとともに、器具本体８から非常用電源４の一部が露出しているのを見た利用者に不具合が生じていることを知らせることができる。
【００５６】
次に、本実施形態の照明器具１０に用いられる、さらに別の非常用電源４について、図８及び図９を参照しながら説明する。この非常用電源４は、図８に示すように、摘み部４３の対向片４３２側に突出する突起部４１２ａが本体部４１の底面部４１２に設けられている。
【００５７】
突起部４１２ａが設けられていない場合には、利用者が両摘み部４３，４３を摘まむと、図９（ａ）中の破線のように変形し、本体部４１の底面部４１２と平行な方向における両突起部４３４，４３４の変位量はＬ１となる。これに対して、突起部４１２ａが設けられている場合には、利用者が両摘み部４３，４３を摘まむと、両対向片４３２，４３２が突起部４１２ａに沿って変形する（図９（ｂ）中の破線参照）。その結果、底面部４１２と平行な方向における両突起部４３４，４３４の変位量はＬ２（Ｌ２＞Ｌ１）となる。
【００５８】
このように、摘み部４３の対向片４３２側に突出する突起部４１２ａを本体部４１の底面部４１２に設けることで、突起部４１２ａに沿って両対向片４３２，４３２を移動させることができる。これにより、底面部４１２と平行な方向における両突起部４３４，４３４の変位量を大きくすることができ、その結果、両突起部４３４，４３４を対応する突台部２１２ｃ，２１２ｃから確実に外すことができる。ここに、本実施形態では、突起部４１２ａにより第２突起部が構成されている。
【００５９】
なお、本実施形態では、本体部４１の底面部４１２に突起部４１２ａを設けたが、本体部４１の底面部４１２側に突出する突起部（図示せず）を対向片４３２に設けてもよい。この場合も、底面部４１２と平行な方向における両突起部４３４，４３４の変位量を大きくすることができる。
【００６０】
また、本実施形態では、ケース１及びベース２の材料として鋼板を用いたが、ケース１及びベース２の材料は不燃材料であればよく、例えばアルミニウムなどを用いてもよい。この場合、放熱効率を高めることができる。さらに、本実施形態では、非常用電源４を収納空間１３に収納した状態で、下端部が器具本体８の下面と面一になるように摘み部４３を配置したが、下端部が器具本体８の下面よりも内側になるように摘み部４３を配置してもよい。
【００６１】
本実施形態の照明器具１０は、器具本体８（ケース１及びベース２）と、光源ユニット３と、非常用電源４と、電源装置５とを備える。器具本体８は、下面（一面）を露出させた状態で天井材１００（造営材）に埋め込まれる。光源ユニット３は、器具本体８の内部において下面側に配置される。非常用電源４は、器具本体８の内部で且つ下面側において光源ユニット３と並べて配置され、商用電源（外部電源）の停電時に電力を供給する。電源装置５は、商用電源が正常に供給されている状態では商用電源により非常用電源４を充電し、商用電源が停電になると非常用電源４により光源ユニット３を点灯させる。器具本体８は、非常用電源４を収納するための収納空間１３を内部に有している。また、器具本体８は、光源ユニット３からの光を外部に出射させる凹部２１１（第１孔）と、収納空間１３に通じており器具本体８に対して非常用電源４を着脱する際に非常用電源４が通される孔２１２（第２孔）とを下面に有している。非常用電源４は、非常用電源４を収納空間１３に収納した状態で器具本体８に設けられた突台部２１２ｃ（被引掛部）に引っ掛かる突起部４３４（第１引掛部）を有している。また、非常用電源４は、非常用電源４を取り外す際に突台部２１２ｃから外れる方向に突起部４３４を移動させ、且つ非常用電源４を器具本体８外に引き出すための摘み部４３を有している。
【００６２】
また、本実施形態の照明器具１０のように、摘み部４３は、人の指で摘ままれる部位に突起４３３ａ，４３３ａ（滑り止め部）を有しているのが好ましい。
【００６３】
また、本実施形態の照明器具１０のように、摘み部４３は、非常用電源４を収納空間１３に収納した状態で器具本体８の下面と面一に配置されるか、或いは下面よりも内側に配置されるのが好ましい。
【００６４】
また、本実施形態の照明器具１０のように、非常用電源４は、突起部４４２（第２突起部）を有しているのが好ましい。この場合、突起部４４２は、上下方向（非常用電源４の着脱方向）において突起部４３４よりも器具本体８側に設けられ、非常用電源４を取り外す際に突台部２１２ｃに引っ掛かる。
【００６５】
また、本実施形態の照明器具１０のように、非常用電源４は、側面部４１１が非常用電源４の着脱方向と平行になり、且つ底面部４１２が器具本体８の下面側となるように配置される筒状の本体部４１を有しているのが好ましい。この場合、摘み部４３は、撓み片４３１と、対向片４３２と、摘み片４３３とを有している。撓み片４３１は、側面部４１１に沿って底面部４１２側に延長され、突起部４３４を突台部２１２ｃから外す際に側面部４１１に近づくように変形する。対向片４３２は、撓み片４３１の先端から底面部４１２と平行な方向に延長され且つ底面部４１２と対向する。摘み片４３３は、対向片４３２の先端から撓み片４３１と平行な方向で且つ底面部４１２から離れる方向に延長されている。突起部４３４は、撓み片４３１と対向片４３２との連接部分に設けられている。対向片４３２又は底面部４１２の一方に、対向片４３２又は底面部４１２の他方側に突出する突起部４１２ａ（第２突起部）が設けられている。
【００６６】
（実施形態２）
照明器具１０の実施形態２について、図１０〜図１２を参照しながら説明する。なお、本実施形態では、非常用電源４の取付構造が実施形態１と異なっており、それ以外の構成は実施形態１と同様である。従って、本実施形態では、図１１に示す取付部材９を用いた非常用電源４の取付構造について説明する。
【００６７】
本実施形態の照明器具１０は、ケース１と、ベース２と、光源ユニット３と、非常用電源４と、電源装置５と、一対の取付ばね６，６と、端子台７とを備える。
【００６８】
非常用電源４は、図１０に示すように、上下方向に長い円筒状に形成された本体部４１を有し、本体部４１の内部には複数の蓄電池（図示せず）が上下方向に並べて収納されている。また、本体部４１の下端側には摘み部４５が設けられている。この摘み部４５は、撓み片４５１と、対向片４５２と、摘み片４５３と、引掛片４５４とを有している。
【００６９】
撓み片４５１は、一端（図１０中の上端）が本体部４１の側面部４１１に取り付けられており、側面部４１１に沿って下向き（底面部４１２へ向かう向き）に延長されている。また、対向片４５２は、本体部４１の底面部４１２と対向するように、撓み片４５１の先端（図１０中の下端）から底面部４１２と平行な方向に延長されている。
【００７０】
さらに、摘み片４５３は、対向片４５２の中間部から撓み片４５１と平行な方向で、且つ底面部４１２から離れる方向に延長されている。また、撓み片４５１の中間部には、外向きに突出する横片と、横片の先端から下向きに突出する縦片とでＬ字状に形成された引掛片４５４が設けられている。
【００７１】
取付部材９は、図１１（ａ）及び図１１（ｂ）に示すように、円板状に形成された本体部９１を有し、本体部９１の中央には円形の開口部９１１が設けられている。また、本体部９１は、周方向における一部に開口部９１１と通じる溝部９１２を有している。
【００７２】
溝部９１２の一方の開口端縁には、上向きに突出する縦片９２１と、縦片９２１の先端（上端）から縦片９２１と直交する方向に突出する横片９２２とでＬ字状に形成された位置決め部９２が設けられている。また、溝部９１２の他方の開口端縁には、本体部９１の上面から上向きに突出する突壁部９３が設けられている。
【００７３】
次に、非常用電源４を取付部材９に取り付ける手順について、図１２を参照しながら説明する。
【００７４】
利用者は、本体部４１が開口部９１１、摘み部４５が溝部９１２とそれぞれ向かい合うように位置を合わせた状態で、非常用電源４を上向き（図１２（ａ）中の矢印Ａ１の向き）に移動させる。このとき、非常用電源４は、引掛片４５４の上面が位置決め部９２の横片９２２の下面に接触する位置まで移動する。
【００７５】
図１２（ａ）に示す状態から、利用者は、非常用電源４を一方向（図１２（ｂ）中の矢印Ａ２方向）に所定角度だけ回転させた後、非常用電源４をさらに上向き（図１２（ｃ）中の矢印Ａ３の向き）に移動させる。これにより、引掛片４５４が突壁部９３の上に乗り、非常用電源４が取付部材９に保持される。
【００７６】
続けて、非常用電源４を取付部材９から取り外す手順について説明する。
【００７７】
図１２（ｃ）に示す状態から、利用者は、非常用電源４を下向き（図１２（ｃ）中の矢印Ａ３と反対向き）に引っ張った後、摘み部４５が位置決め部９２の縦片９２１に接触する位置まで反対方向（図１２（ｂ）中の矢印Ａ２と反対方向）に回転させる。そして、図１２（ａ）に示す状態から、利用者が、非常用電源４を下向き（図１２（ａ）中の矢印Ａ１と反対向き）に引っ張ることで、非常用電源４を器具本体８から取り外すことができる。
【００７８】
本実施形態のように、非常用電源４を回転させて着脱する構造の場合には、実施形態１のように、器具本体８に対して非常用電源４を差し込むだけの構造に比べて、非常用電源４の着脱を確実に行うことができる。ここに、本実施形態では、引掛片４５４により第１引掛部が構成され、突壁部９３により被引掛部が構成されている。また、本実施形態では、図１２（ｃ）に示す位置が、第１引掛部が被引掛部に引っ掛かる位置であり、図１２（ａ）に示す位置が、第１引掛部が被引掛部から外れる位置である。
【００７９】
本実施形態の照明器具１０のように、非常用電源４は、非常用電源４を収納空間１３に収納した状態から、上下方向（非常用電源４の着脱方向）を回転軸として非常用電源４を回転させるのが好ましい。この場合、非常用電源４を回転させることで、引掛片４５４（第１引掛部）が突壁部９３（被引掛部）に引っ掛かる位置、又は引掛片４５４が突壁部９３から外れる位置に非常用電源４が配置される。
【００８０】
（実施形態３）
照明器具１０の実施形態３について、図１３〜図１８を参照しながら説明する。
【００８１】
本実施形態の照明器具１０は、ケース１と、ベース２と、光源ユニット３と、非常用電源４と、電源装置５と、一対の取付ばね６，６と、端子台７とを備える。なお、ベース２及び非常用電源４以外の構成については実施形態１と同様であり、同一の構成要素には同一の符号を付して説明を省略する。
【００８２】
ベース２は、例えば鋼板などの不燃材料からなり、図１５（ａ）及び図１５（ｂ）に示すように、扁平且つ円筒状に形成された本体部２１を有し、本体部２１の下端には外向きに突出する鍔部２２が全周に亘って設けられている。
【００８３】
本体部２１の底面には、図１５（ａ）に示すように、上下方向（厚み方向）に貫通する孔２１７（第１孔）が設けられており、光源ユニット３からの光が孔２１７を通して外部に出射される。また、本体部２１の底面には、上下方向（厚み方向）に貫通する孔２１６（第２孔）が設けられており、本実施形態では、円形に開口する孔２１６ａと、矩形状に開口する孔２１６ｂ，２１６ｃとで孔２１６が構成されている。
【００８４】
ここに、ベース２の孔２１６ｂは、図１５（ｂ）に示すように上下方向（厚み方向）に貫通しており、孔２１６ｃとの対向面には、内向きに突出する突台部２１６ｄが設けられている。
【００８５】
非常用電源４は、図１３及び図１４に示すように、上下方向に長い円筒状に形成された本体部４１を有し、本体部４１の内部には複数の蓄電池（図示せず）が上下方向に並べて収納されている。また、本体部４１の側面部４１１には、本体部４１の径方向に突出する突台部４６が設けられるとともに、本体部４１の下端側には摘み部４８が設けられている。
【００８６】
突台部４６は、上下方向（本体部４１の長手方向）の中間部における周方向に沿う寸法が、中間部よりも上側及び下側における周方向に沿う寸法よりも短く設定されており、側方から見た形状がＳ字状に形成されている。
【００８７】
摘み部４８は、撓み片４８１と、対向片４８２と、摘み片４８３とを有している。撓み片４８１は、一端（図１３（ａ）中の上端）が本体部４１の側面部４１１に取り付けられており、側面部４１１に沿って下向き（底面部４１２へ向かう向き）に延長されている。また、対向片４８２は、本体部４１の底面部４１２と対向するように、撓み片４８１の先端（図１３（ａ）中の下端）から底面部４１２と平行な方向に延長されている。
【００８８】
さらに、摘み片４８３は、対向片４８２の中間部分から撓み片４８１と平行な方向で、且つ底面部４１２から離れる方向に延長されている。また、撓み片４８１と対向片４８２の連接部分には、外向きに突出する三角形状の突起部４８４が一体に設けられている。
【００８９】
さらに、摘み片４８３の先端側（図１３（ａ）中の下端側）には、外向きに突出する２個１組の突起４８３ａ，４８３ａが設けられている。これらの突起４８３ａ，４８３ａは、器具本体８に対して非常用電源４を着脱する際に人の指で摘ままれる部位に設けられており、これらの突起４８３ａ，４８３ａにより滑り止め部が構成されている。
【００９０】
ここに、本実施形態では、突台部４６の下方への投影面積と、摘み部４８における突起部４８４の下方への投影面積とが類似している。また、突台部４６は、非常用電源４を上方から見た際に摘まみ部４８における突起部４８４と重ならない位置に設けられている。
【００９１】
次に、非常用電源４を器具本体８に取り付ける手順について、図１６〜図１８を参照しながら説明する。なお、図１６〜図１８では、非常用電源４とベース２のみを図示し、ケース１については省略している。
【００９２】
利用者は、図１６（ａ）に示すように、本体部４１が孔２１６ａ、突台部４６が孔２１６ｃ、摘み部４８が孔２１６ｂとそれぞれ向かい合うように位置を合わせた状態で、非常用電源４を上向き（図１６（ｂ）中の矢印Ａ４の向き）に移動させる。このとき、非常用電源４は、突台部４６の上下方向における中間部と上側部分との間の段部が、本体部２１の上面と面一になる位置（図１７（ａ）に示す位置）まで移動する。
【００９３】
図１７（ａ）に示す状態から、利用者は、非常用電源４を一方向（図１７（ｂ）中の矢印Ａ５方向）に回転させた後、非常用電源４をさらに上向き（図１８（ａ）中の矢印Ａ６の向き）に移動させる。このとき、非常用電源４は、突台部４６の下端部が、本体部２１の上面と面一になる位置（図１８（ｂ）に示す位置）まで移動する。
【００９４】
図１８（ｂ）に示す状態から、利用者は、非常用電源４を一方向（図１７（ｂ）中の矢印Ａ５方向）にさらに回転させる。これにより、摘み部４８の突起部４８４が本体部２１の突台部２１６ｄの上に乗るとともに、非常用電源４の突台部４６がベース２の本体部２１の孔２１６ｃの開口端縁に乗った状態になり、非常用電源４が器具本体８に保持される。
【００９５】
続けて、非常用電源４を器具本体８から取り外す場合について説明する。
【００９６】
図１８（ｃ）に示す状態から、利用者は、非常用電源４を反対方向（図１７（ｂ）中の矢印Ａ５と反対方向）に回転させた後、非常用電源４を下向きに引き出す（図１７（ｂ）参照）。
【００９７】
図１７（ｂ）に示す状態から、利用者は、非常用電源４を反対方向（図１７（ｂ）中の矢印Ａ５と反対方向）にさらに回転させた後、非常用電源４をさらに下向きに引き出す。これにより、非常用電源４を器具本体８から取り外すことができる（図１６（ａ）参照）。
【００９８】
本実施形態のように、非常用電源４を回転させて着脱する構造の場合には、実施形態１のように、器具本体８に対して非常用電源４を差し込むだけの構造に比べて、非常用電源４の着脱を確実に行うことができる。ここに、本実施形態では、摘み部４８の突起部４８４により第１引掛部が構成され、突台部２１６ｄにより被引掛部が構成されている。また、本実施形態では、突台部４６により第３引掛部が構成されている。
【００９９】
なお、本実施形態では、突台部４６の下方への投影面積が、摘み部４８における突起部４８４の下方への投影面積に類似する場合を例に説明したが、突台部４６と突起部４８４の投影面積が同形状であってもよい。
【０１００】
本実施形態の照明器具１０のように、非常用電源４は、下方（非常用電源４の着脱方向）への投影面積の少なくとも一部が突起部４８４に類似するか、或いは同形状である突台部４６（第３引掛部）を有しているのが好ましい。この場合、突台部４６は、上方から見た際に突起部４８４と重ならない位置に設けられている。
【符号の説明】
【０１０１】
１  ケース
２  ベース
３  光源ユニット
４  非常用電源
８  器具本体
１３  収納空間
４３  摘み部
２１１  凹部（第１孔）
２１２  孔（第２孔）
２１２ｃ  突台部（被引掛部）
４３４  突起部（第１引掛部）
【図１】
2015125804.tif 000003
【図２】
2015125804.tif 000004
【図３】
2015125804.tif 000005
【図４】
2015125804.tif 000006
【図５】
2015125804.tif 000007
【図６】
2015125804.tif 000008
【図７】
2015125804.tif 000009
【図８】
2015125804.tif 000010
【図９】
2015125804.tif 000011
【図１０】
2015125804.tif 000012
【図１１】
2015125804.tif 000013
【図１２】
2015125804.tif 000014
【図１３】
2015125804.tif 000015
【図１４】
2015125804.tif 000016
【図１５】
2015125804.tif 000017
【図１６】
2015125804.tif 000018
【図１７】
2015125804.tif 000019
【図１８】
2015125804.tif 000020